(57)【要約】【課題】ＬＥＤ発光素子の外装管への好ましい固定方法を提案する。【解決手段】照明装置１は、円筒状の外装管１０と、発光素子１４と、固定部材１３とを備えている。発光素子１４は、外装管１０内に配置されている。発光素子１４は、基板１５と、基板１５の上に直線状に配置された複数のＬＥＤ１７とを有する。固定部材１３は、バネ部１３ａと、支持部１３ｂとを有する。バネ部１３ａは、弾性体からなる。バネ部１３ａは、外装管１０内に縮径した状態で配置されている。支持部１３ｂは、バネ部１３ａに接続されている。支持部１３ｂは、発光素子１４を支持している。【選択図】図２
2012129090.tif 000002
【特許請求の範囲】
【請求項１】
円筒状の外装管と、
前記外装管内に収納されており、基板と、前記基板の上に直線状に配置された複数のＬＥＤとを有する発光素子と、
前記発光素子を前記外装管内に固定する固定部材と、
を備え、
前記固定部材は、弾性体からなり、前記外装管内に縮径した状態で配置されたバネ部と、前記バネ部に接続されており、前記発光素子を支持する支持部とを有する、照明装置。
【発明の詳細な説明】
【技術分野】
【０００１】
本発明は、照明装置に関する。特に、本発明は、ＬＥＤを用いた照明装置に関する。
【背景技術】
【０００２】
近年、消費電力が少ないことから、ＬＥＤ（Ｌｉｇｈｔ  Ｅｍｉｔｔｉｎｇ  Ｄｉｏｄｅ）を用いた照明装置が種々提案されている。例えば、下記の特許文献１では、配線基板上に複数のＬＥＤが直線状に配置されてなるＬＥＤ発光素子を外装管内に配置した照明装置が提案されている。
【先行技術文献】
【特許文献】
【０００３】
【特許文献１】特開２００９−４３４４７号公報
【発明の概要】
【発明が解決しようとする課題】
【０００４】
しかしながら、現在のところ、上記のようなＬＥＤ発光素子の外装管への好ましい固定方法に関しては十分な検討が行われていない。
【０００５】
本発明は、斯かる点に鑑みて成されたものであり、その目的は、ＬＥＤ発光素子の外装管への好ましい固定方法を提案することにある。
【課題を解決するための手段】
【０００６】
本発明に係る照明装置は、円筒状の外装管と、発光素子と、固定部材とを備えている。発光素子は、外装管内に収納されている。発光素子は、基板と、基板の上に直線状に配置された複数のＬＥＤとを有する。固定部材は、発光素子を外装管内に固定している。固定部材は、バネ部と、支持部とを有する。バネ部は、弾性体からなる。バネ部は、外装管内に縮径した状態で配置されている。支持部は、バネ部に接続されている。支持部は、発光素子を支持している。
【発明の効果】
【０００７】
本発明によれば、ＬＥＤ発光素子の外装管への好ましい固定方法を提案することができる。
【図面の簡単な説明】
【０００８】
【図１】第１の実施形態に係る照明装置の略図的平面図である。
【図２】図１の線ＩＩ−ＩＩにおける略図的断面図である。
【図３】第２の実施形態に係る照明装置の略図的断面図である。
【図４】第３の実施形態に係る照明装置の略図的断面図である。
【発明を実施するための形態】
【０００９】
以下、本発明を実施した好ましい形態の一例について説明する。但し、下記の実施形態は単なる一例である。本発明は、下記の実施形態に何ら限定されない。
【００１０】
（第１の実施形態）
図１は、本実施形態に係る照明装置の略図的平面図である。図２は、図１の線ＩＩ−ＩＩにおける略図的断面図である。図１に示すように、照明装置１は、外装管１０を備えている。外装管１０は、円筒状に形成されている。本実施形態において、外装管１０は、透明なガラス管により構成されている。
【００１１】
外装管１０の両端部には、ソケット１１ａ、１１ｂが取り付けられている。
【００１２】
外装管１０の内部には、ＬＥＤ発光素子１４が収納されている。ＬＥＤ発光素子１４は、支持基板１５と、配線基板１６と、複数のＬＥＤ１７とを有する。
【００１３】
複数のＬＥＤ１７は、配線基板１６に実装されている。複数のＬＥＤ１７は、ｙ方向に沿って直線状に等間隔に配置されている。ＬＥＤ１７は、どのような色の光を発するものであってもよく、例えば、白色光、青色光、赤色光、緑色光、黄色光等を発するものであってもよい。
【００１４】
配線基板１６は、ｙ方向に沿って延びる矩形状に形成されている。配線基板１６は、上記複数のＬＥＤ１７の駆動回路及び配線が形成された基板である。この配線基板１６を介して、複数のＬＥＤ１７がソケット１１ａ、１１ｂに電気的に接続されている。配線基板１６は、例えばフレキシブルプリント基板（Ｆｌｅｘｉｂｌｅ  Ｐｒｉｎｔｅｄ  Ｃｉｒｃｕｉｔ）により構成することができる。
【００１５】
配線基板１６は、支持基板１５により支持されている。支持基板１５も、ｙ方向に沿って延びる矩形状に形成されている。支持基板１５は、配線基板１６及び複数のＬＥＤ１７を好適に支持し得るものである限りにおいて特に限定されない。支持基板１５は、例えば、樹脂、ガラス、セラミックス、金属等により形成することができる。
【００１６】
ＬＥＤ発光素子１４は、複数の固定部材１３により外装管１０に対して固定されている。複数の固定部材１３は、ｙ方向に沿って等間隔に配置されている。複数の固定部材１３のそれぞれは、弾性体からなるバネ部１３ａと、バネ部１３ａの両端部に設けられた一対の支持部１３ｂとを有する。この一対の支持部１３ｂにより、ＬＥＤ発光素子１４の支持基板１５が支持されている。本実施形態では、具体的には、支持基板１５には、凹部を有する係合部１５ａが設けられており、その係合部１５ａの凹部に支持部１３ｂが挿入されることによりＬＥＤ発光素子１４が固定されている。
【００１７】
本実施形態では、バネ部１３ａは、円弧状に形成されている。バネ部１３ａの曲率半径は、外装管１０に収納されていない状態では、外装管１０の内径よりも大きい。固定部材１３は、バネ部１３ａが縮径した状態で外装管１０内に配置されている。このため、固定部材１３は、バネ部１３ａの付勢力によって外装管１０に固定されている。
【００１８】
なお、固定部材１３は、例えば、ＰＥＴ、プロピレンカーボネート、ポリプロピレン、ポリエチレン等の樹脂、鉄や銅などの金属、ステンレスなどの合金等の弾性体により形成することができる。
【００１９】
以上説明したように、本実施形態では、バネ部１３ａが縮径した状態で外装管１０内に配置されることにより、外装管１０に強固に固定された固定部材１３によりＬＥＤ発光素子１４が固定されている。このため、ＬＥＤ発光素子１４を強固に固定することができる。
【００２０】
また、弾性体からなるバネ部１３ａを介してＬＥＤ発光素子１４が固定されているため、例えば外装管１０に衝撃が加わった場合であっても、ＬＥＤ発光素子１４に衝撃が加わり難い。従って、ＬＥＤ発光素子１４の損傷を抑制することができる。
【００２１】
また、本実施形態の照明装置１であれば、まず、外装管１０の内径よりも外径が小さな円筒であって、外表面が樹脂等で被覆された管内にＬＥＤ発光素子１４が固定された固定部材１３を挿入し、次に、その固定部材１３を外装管１０内に挿入し、最後に、管のみを抜き取ることにより容易に製造することができる。また、このように製造することにより、ガラスからなる外装管１０の内壁に傷等が生じることを効果的に抑制することができる。
【００２２】
さらに、ＬＥＤ発光素子１４の固定に接着剤等を用いていないため、ＬＥＤ発光素子１４の交換も容易に行うことができる。
【００２３】
なお、本実施形態では、帯状の固定部材１３を複数設ける例について説明したが、ｙ方向に延びる細長形状の固定部材をひとつのみ設けるようにしてもよい。
【００２４】
以下、本発明を実施した好ましい形態の他の例について説明する。以下の説明において、上記第１の実施形態と実質的に共通の機能を有する部材を共通の符号で参照し、説明を省略する。
【００２５】
（第２及び第３の実施形態）
図３は、第２の実施形態に係る照明装置の略図的断面図である。
【００２６】
本実施形態では、各固定部材１３が、一対の固定部材片１３Ａ，１３Ｂにより構成されている。一対の固定部材片１３Ａ，１３Ｂのそれぞれにバネ部１３ａと支持部１３ｂとが設けられており、支持基板１５のｘ方向の一方側端部が固定部材片１３Ａの支持部１３ｂにより支持されており、他方側端部が固定部材片１３Ｂの支持部１３ｂにより支持されている。このような構成においても、上記第１の実施形態と実質的に同様の効果が奏される。
【００２７】
（第３の実施形態）
図４は、第３の実施形態に係る照明装置の略図的断面図である。
【００２８】
上記第１及び第２の実施形態では、支持基板１５に、凹部を有する係合部１５ａが設けられており、その凹部に固定部材１３の支持部１３ｂが挿入されることにより支持基板１５が固定部材１３に固定される例について説明した。但し、本発明はこの構成に限定されない。例えば、図４に示すように、支持部１３ｂに凹部を設け、その支持部１３ｂの凹部に、板状の支持基板１５の端部を挿入することにより支持基板１５を固定部材１３に対して固定してもよい。
【符号の説明】
【００２９】
１…照明装置
１０…外装管
１１ａ、１１ｂ…ソケット
１３…固定部材
１３Ａ，１３Ｂ…固定部材片
１３ａ…バネ部
１３ｂ…支持部
１４…ＬＥＤ発光素子
１５…支持基板
１５ａ…係合部
１６…配線基板
１７…ＬＥＤ
【図１】
2012129090.tif 000003
【図２】
2012129090.tif 000004
【図３】
2012129090.tif 000005
【図４】
2012129090.tif 000006